(57)【要約】【課題】  ユーザーが動画撮影用および静止画撮影用の露出制御値の設定を行う場合に、設定した露出制御値で得られる被写体輝度の露出状態を正確に把握することができる撮像装置を提供する。【解決手段】  露出制御値を設定するための操作手段（２０３）と、前記操作手段により設定された露出制御値で得られる被写体輝度を取得する取得手段（３９）と、前記取得手段により取得された被写体輝度が適正露出か否かを判定する判定手段（３９）と、前記判定手段が適正露出と判定する範囲である適正露出範囲を設定する設定手段（３９）と、前記判定手段の判定結果を示す指標を表示する表示手段（２５）と、を有し、前記設定手段は、前記判定手段により動画撮影用に設定された露出制御値で得られる被写体輝度が判定される場合と静止画撮影用に設定された露出制御値で得られる被写体輝度が判定される場合とで、前記適正露出範囲を変更する。【選択図】  図５
2010268362.tif 000002
【特許請求の範囲】
【請求項１】
静止画撮影と動画撮影が可能な撮像装置であって、
露出制御値を設定するための操作手段と、
前記操作手段により設定された露出制御値で得られる被写体輝度を取得する取得手段と、
前記取得手段により取得された被写体輝度が適正露出か否かを判定する判定手段と、
前記判定手段が適正露出と判定する範囲である適正露出範囲を設定する設定手段と、
前記判定手段の判定結果を示す指標を表示する表示手段と、を有し、
前記設定手段は、前記判定手段により動画撮影用に設定された露出制御値で得られる被写体輝度が判定される場合と静止画撮影用に設定された露出制御値で得られる被写体輝度が判定される場合とで、前記適正露出範囲を変更することを特徴とする撮像装置。
【請求項２】
前記取得手段により取得された被写体輝度の露出レベルと適正露出の露出レベルとの差分の大きさを算出する算出手段を有し、
前記設定手段は、適正露出の露出レベルとの差分の大きさが所定値以内である露出レベルを前記適正露出範囲として設定し、前記所定値を変更することで前記適正露出範囲を変更することを特徴とする請求項１に記載の撮像装置。
【請求項３】
前記表示手段は、前記算出手段により算出された差分の大きさを示す指標を表示することを特徴とする請求項２に記載の撮像装置。
【請求項４】
前記設定手段は、前記判定手段により動画撮影用に設定された露出制御値で得られる被写体輝度が判定される場合のほうが静止画撮影用に設定された露出制御値で得られる被写体輝度が判定される場合よりも、前記適正露出範囲を広くすることを特徴とする請求項１ないし３のいずれか１項に記載の撮像装置。
【請求項５】
前記操作手段によりシャッター速度と絞り値が設定可能なマニュアルモードを含む複数の撮影モードから１つの撮影モードを選択する選択手段を有し、
前記設定手段は、前記判定手段により動画撮影用に設定された露出制御値で得られる被写体輝度が判定される場合、前記選択手段によりマニュアルモードが選択されているか否かに応じて前記適正露出範囲を変更することを特徴とする請求項１ないし４のいずれか１項に記載の撮像装置。
【請求項６】
前記撮像装置は、撮像素子に結像された被写体像に基づく画像を逐次表示するライブビュー表示が可能であり、かつ前記ライブビュー表示の表示モードを複数の表示モードの中から選択可能であって、
前記設定手段は、前記表示手段が第１の表示モードでライブビュー表示を行っている場合と第２の表示モードでライブビュー表示を行っている場合とで、前記適正露出範囲を変更することを特徴とする請求項１ないし５のいずれか１項に記載の撮像装置。
【請求項７】
露出制御値を設定するための操作手段を備え、静止画撮影と動画撮影が可能な撮像装置の制御方法であって、
前記操作手段により設定された露出制御値で得られる被写体輝度を取得する取得ステップと、
前記取得ステップで取得された被写体輝度が適正露出か否かを判定する判定ステップと、
前記判定ステップで適正露出と判定する範囲である適正露出範囲を設定する設定ステップと、
前記判定ステップでの判定結果を示す指標を表示する表示ステップと、を有し、
前記設定ステップは、前記判定ステップで動画撮影用に設定された露出制御値で得られる被写体輝度が判定される場合と静止画撮影用に設定された露出制御値で得られる被写体輝度が判定される場合とで、前記適正露出範囲を変更することを特徴とする撮像装置の制御方法。
【発明の詳細な説明】
【技術分野】
【０００１】
本発明は、電子スチルカメラ等の撮像装置に関し、特に静止画撮影と動画撮影が可能な撮像装置に関するものである。
【背景技術】
【０００２】
画像信号を電気信号に変換して撮像する電子スチルカメラ等の撮像装置では、撮影光束をＣＣＤやＣＭＯＳ等の撮像素子で受光し、その撮像素子から出力される光電変換信号を画像データに変換してメモリーカード等の記録媒体に記録する。また近年では、静止画のみならず動画も記録できる撮像装置が一般的となってきている。このような撮像装置では、主に撮像装置の背面に配置されている液晶モニターによって撮像している被写体を確認することが出来るライブビュー機能が搭載されており、ユーザーがライブビュー開始部材などを操作することでライブビュー動作を開始する。
【０００３】
また、動画撮影を行う時は、前述したライブビュー動作中にユーザーがシャッター速度、絞り値、撮影感度などの露出制御値を設定でき、動画撮影開始部材などを操作することで動画撮影を開始するものが多い。
【０００４】
また、上述の撮像装置のなかには、ユーザーの設定した露出制御値で得られる被写体輝度が適正露出であるかを確認できるように、設定した露出制御値で得られる被写体輝度を示す情報を液晶モニターなどに表示するものがある。例えば、特許文献１には、手動設定された露出条件で撮像した輝度ヒストグラムを表示して、手動設定された露出条件の適否をユーザーが確認できるようにした撮像装置が開示されている。
【０００５】
また、設定した露出制御値で得られる被写体輝度を示す情報だけでなく、設定した露出制御値で得られる被写体輝度の露出レベルと適正露出の露出レベルとの差分の大きさを示す情報を表示するものもある。設定した露出制御値で得られる被写体輝度の露出レベルと適正露出の露出レベルとの差分の大きさを示す情報を表示する際には、通常、差分の値がどの値からどの値の間に収まっていれば適正露出だと判断する、いわゆる適正露出として扱う不感帯が存在する。そして、差分の値がこの不感帯の範囲内に収まっていれば、ユーザーが設定した露出制御値で得られる被写体輝度が適正露出であることを示す指標が表示される。
【先行技術文献】
【特許文献】
【０００６】
【特許文献１】特開２００７−１１０４５４号公報
【発明の概要】
【発明が解決しようとする課題】
【０００７】
しかしながら、静止画撮影用と動画撮影用とで、設定された露出制御値の内部的な扱い方が異なることに起因して、同じ撮影条件であっても動画撮影用と静止画撮影用の一方だけで適正露出と判断される場合がある。内部的な扱い方が異なるとは、例えば、撮影感度を示すＩＳＯ２００の内部制御値を仮にＡとした場合、静止画撮影用は、Ａ−４〜Ａ＋３までをＩＳＯ２００として扱うのに対して、動画撮影用は、ＡのみをＩＳＯ２００として扱うことを表している。すなわち、設定された値に対応する内部制御値の幅が異なることを表している。
【０００８】
仮に、ＩＳＯ２００を露出制御値として設定して得られる被写体輝度の露出レベルと適正露出の露出レベルとの差分を演算する場合、静止画撮影用は内部制御値がＡ−４〜Ａ＋３の範囲で差分の演算を行うが、動画撮影用はＡでのみ差分の演算を行うことになる。そのため、同じ撮影条件であっても静止画撮影用と動画撮影用で演算される差分の値が異なることになる。したがって、適正露出として扱う不感帯の幅が動画撮影用と静止画撮影用で同じ幅に設定されていると、同じ撮影条件であっても静止画撮影用では差分の大きさが適正露出の範囲内だと判断され、動画撮影用では適正露出の範囲外だと判断されてしまう。
【０００９】
以上のことから、設定した露出制御値で得られる被写体輝度の露出状態をユーザーが正確に把握できず、被写体輝度が適正露出となる露出制御値が設定されているのに適正露出でないと認識してしまい、露出制御値の設定変更を必要以上に行ってしまう。
【００１０】
本発明は上記の課題を鑑みてなされたものであり、ユーザーが動画撮影用および静止画撮影用の露出制御値の設定を行う場合に、設定した露出制御値で得られる被写体輝度の露出状態を正確に把握することができる撮像装置を提供することを目的とする。
【課題を解決するための手段】
【００１１】
上記目的を達成するために、本発明に係る撮像装置は、静止画撮影と動画撮影が可能な撮像装置であって、露出制御値を設定するための操作手段と、前記操作手段により設定された露出制御値で得られる被写体輝度を取得する取得手段と、前記取得手段により取得された被写体輝度が適正露出か否かを判定する判定手段と、前記判定手段が適正露出と判定する範囲である適正露出範囲を設定する設定手段と、前記判定手段の判定結果を示す指標を表示する表示手段と、を有し、前記設定手段は、前記判定手段により動画撮影用に設定された露出制御値で得られる被写体輝度が判定される場合と静止画撮影用に設定された露出制御値で得られる被写体輝度が判定される場合とで、前記適正露出範囲を変更することを特徴とする。
【００１２】
また、本発明に係る撮像装置の制御方法は、露出制御値を設定するための操作手段を備え、静止画撮影と動画撮影が可能な撮像装置の制御方法であって、前記操作手段により設定された露出制御値で得られる被写体輝度を取得する取得ステップと、前記取得ステップで取得された被写体輝度が適正露出か否かを判定する判定ステップと、前記判定ステップで適正露出と判定する範囲である適正露出範囲を設定する設定ステップと、前記判定ステップでの判定結果を示す指標を表示する表示ステップと、を有し、前記設定ステップは、前記判定ステップで動画撮影用に設定された露出制御値で得られる被写体輝度が判定される場合と静止画撮影用に設定された露出制御値で得られる被写体輝度が判定される場合とで、前記適正露出範囲を変更することを特徴とする。
【発明の効果】
【００１３】
本発明によれば、ユーザーが動画撮影用および静止画撮影用の露出制御値の設定を行う場合に、設定した露出制御値で得られる被写体輝度の露出状態を正確に把握することができる。
【図面の簡単な説明】
【００１４】
【図１】本発明の実施の形態に係る撮像装置のブロック図である。
【図２】本発明の実施の形態に係る撮像装置の外観図である。
【図３】本発明の実施の形態に係る撮像装置の液晶表示部に表示される露出制御に関する情報を示す図である。
【図４】本発明の実施の形態に係る撮像装置の露出状態表示動作のフローチャートである。
【図５】本発明の実施の形態に係る撮像装置の測光結果表示処理のフローチャートである。
【図６】本発明の実施の形態に係る適正露出範囲を示す図である。
【図７】本発明の実施の形態に係る撮像装置の液晶表示部に表示される測光結果表示の表示例を示す図である。
【発明を実施するための形態】
【００１５】
以下に、本発明の好ましい実施の形態を、添付の図面に基づいて詳細に説明する。
【００１６】
図１は本実施の形態に係る撮像装置のブロック図である。１００は交換可能な撮影レンズを搭載するレンズユニットであり、２００は撮像装置本体を表している。
【００１７】
レンズ５は通常、複数枚のレンズから構成されるが、ここでは簡略して一枚のレンズのみで示している。６はレンズユニット１００が撮像装置本体２００側と通信を行う為の通信端子であり、１０は撮像装置本体２００がレンズユニット１００側と通信を行う為の通信端子である。レンズユニット１００は、この通信端子６，１０を介してマイクロコンピュータ３９と通信し、内部のレンズシステム制御回路４によって絞り駆動回路２を介して絞り１の制御を行い、ＡＦ駆動回路３を介して、レンズ５の位置を移動させることで焦点を合わせる。
【００１８】
１５はＡＥセンサーであり、レンズユニット１００を通した被写体の輝度（以下、被写体輝度とする）を測定する。１１はＡＦセンサーであり、マイクロコンピュータ３９にデフォーカス量情報を出力し、マイクロコンピュータ３９はＡＦセンサー１１から出力されたデフォーカス量情報に基づいてレンズユニット１００を制御する。
【００１９】
１２はクイックリターンミラーであり、マイクロコンピュータ３９からの指示を受けて不図示のアクチュエータによりアップダウンされる。１３はフォーカシングスクリーンであり、ユーザーはペンタプリズム１４とファインダー１６を介してフォーカシングスクリーン１３を観察することで、レンズユニット１００を通して得た被写体の光学像の焦点や構図の確認が可能となる。
【００２０】
１７はフォーカルプレーンシャッターであり、マイクロコンピュータ３９の制御で撮像素子２０の露光時間を自由に制御できる。１８は光学フィルターであり、一般的にローパスフィルターなどから構成され、フォーカルプレーンシャッター１７より入ってくる光の高周波成分をカットして、撮像素子２０に被写体像を導光する。
【００２１】
撮像素子２０は、一般的にＣＣＤやＣＭＯＳ等の撮像素子が用いられ、レンズユニット１００を通して撮像素子２０上に結像された被写体像を光電変換して電気信号として取り込む。２１はＡＭＰ回路であり、撮像素子２０により取り込まれた電気信号に対して、設定されている撮影感度に応じたゲインで増幅する。２２はＡ／Ｄ変換回路であり、撮像素子２０によって電気信号に変換されたアナログ信号をデジタル信号に変換する。
【００２２】
２３は画像処理回路であり、Ａ／Ｄ変換回路２２によってデジタル信号に変換された撮像素子２０の出力に基づく画像データに対して、フィルター処理、色変換処理、ガンマー／ニー処理を行い、メモリーコントローラ２７に出力する。また、画像処理回路２３は、Ｄ／Ａ変換回路も内蔵している。そのため、Ａ／Ｄ変換回路２２によってデジタル信号に変換された画像データやメモリーコントローラ２７により入力される画像データをアナログ信号に変換して液晶駆動回路２４を介して液晶表示部２５に出力することも可能である。これらの画像処理回路２３による画像処理及び表示処理は、マイクロコンピュータ３９により切り替えられる。また、液晶表示部２５は、撮像素子２０上に結像された被写体像に基づく画像を逐次表示するライブビュー表示が可能である。また、マイクロコンピュータ３９は、撮影画像のカラーバランス情報をもとにホワイトバランス調整を行う。さらに、マイクロコンピュータ３９は、Ａ／Ｄ変換回路２２によってデジタル信号に変換された撮像素子２０の出力に基づく画像データを用いて、撮像された被写体の輝度情報を求める。
【００２３】
メモリーコントローラ２７は、画像処理回路２３から入力された未処理の画像データをバッファメモリー２６に格納したり、或いは画像処理済みの画像データをメモリー２８に格納したりする。また、メモリーコントローラ２７は、バッファメモリー２６やメモリー２８から画像データを取り込んで画像処理回路２３に出力したりもする。また、メモリーコントローラ２７は、外部インタフェース２９を介して送られてくる画像データをメモリー２８に格納したり、逆にメモリー２８に格納されている画像データを外部インタフェース２９を介して外部に出力することも可能である。また、メモリー２８は、着脱可能な様態でもよく、図１では、着脱可能な場合のメモリーとして図示している。具体的には、コンパクトフラッシュ（登録商標）を用いることができる。
【００２４】
３２はタイミング制御回路であり、この回路を介してマイクロコンピュータ３９は、撮像素子２０の駆動タイミングを制御する。３５は電源制御回路であり、電力はＡＣ電源部３０、もしくは２次電池部３１より供給され、マイクロコンピュータ３９からの指示を受けて電源のオン／オフを行う。また、電源制御回路３５は、電源状態検知回路３４により検知された現在の電源状態の情報や電源種類検知回路３３により検知された現在の電源の種類の情報をマイクロコンピュータ３９に通知することも行う。３６はシャッター制御回路であり、この回路を介してマイクロコンピュータ３９はフォーカルプレーンシャッター１７を制御する。３７は光学フィルター振動制御回路であり、光学フィルター１８に接続されている圧電素子１９を振動させる回路である。振動の振幅、振動時間、振動の軸方向をそれぞれ所定の値で圧電素子を振動させるように、マイクロコンピュータ３９の指示に従い振動させる。
【００２５】
３８は、不揮発性メモリー（ＥＥＰＲＯＭ）で、ユーザーが任意に設定したシャッター速度、絞り値、撮影感度などの露出制御値やデータをカメラに電源が入れられていない状態でも、保存することができる。
【００２６】
図２は、レンズユニット１００及び撮像装置本体２００の外観図であり、図２（ａ）は正面外観図、図２（ｂ）は背面外観図である。なお、図２において、図１と共通する部分は、同じ記号で示している。
【００２７】
２０１はレリーズ釦であり、半押しされることで、被写体輝度の測定を行う測光動作や被写体に対して合焦を行う合焦動作の開始を指示する。また、レリーズ釦２０１が全押しされることで静止画撮影の開始を指示し、画像の撮影が行われる。
【００２８】
２０２は撮像装置の撮影モードの設定を行う為のモードダイヤルである。ユーザーは、このモードダイヤル２０２を操作することで、スポーツモード、風景モードなどの撮影モードの設定を行う。また、その他の撮影モードとして、撮影時のシャッター速度、絞り値をユーザーが設定可能なマニュアルモード、ユーザーが設定したシャッター速度を維持して自動的に露出制御を行うＴｖ優先モードなども設定できる。
【００２９】
２０３は電子ダイヤルである。ユーザーは、この電子ダイヤル２０３を操作することでシャッター速度や絞り値などの露出制御値の設定を行う。
【００３０】
２０４は十字キー及び設定釦である。ユーザーが液晶表示部２５に表示されている設定内容、あるいはサムネイル画像などの選択を行う際に、２０４ａが押下されることにより左右方向に選択範囲が移動し、２０４ｂが押下されることにより上下方向に選択範囲が移動する。また、選択された箇所で２０４ｃが押下されることにより選択した内容を設定する。また、設定釦２０４ｃは、動画撮影の開始および停止を指示する動画撮影指示釦としても機能する。２０５は電源スイッチである。ユーザーは電源スイッチを回すことで電源のオン／オフを行う。
【００３１】
２０６は各種設定を行うためのスイッチ群である。これらのスイッチ群には、カメラ内外の記録媒体に保存されている画像を液晶表示部２５に表示させる再生指示釦や、各種設定画面を液晶表示部２５に表示させるための設定画面表示指示釦などがある。ユーザーはこれらのスイッチを押下することにより、各種設定を行うの設定画面を表示させたり、撮影画像の確認を行うことなどが可能となる。
【００３２】
２０７はライブビュー動作の開始を指示するライブビュー指示釦である。ユーザーによりこの釦が押下されると、撮像装置はライブビュー状態に遷移し、ライブビュー画像を液晶表示部２５に表示させる。
【００３３】
図３は、液晶表示部２５に表示される、シャッター速度、絞り値、撮影感度などの露出制御値およびそれらの露出制御値で得られる被写体輝度の露出レベルと適正露出の露出レベルとの差分の大きさを示す情報の表示例を示している。４０は表示されている露出制御値で得られる被写体輝度の露出レベルと適正露出の露出レベルとの差分の大きさを示す露出レベル表示である。４１は表示されている露出制御値で得られる被写体輝度の露出レベルが適正露出の露出レベルとの差分の大きさが何段分となるかを示す指標である。露出レベル表示４０は、適正露出の露出レベルを中心にして１／３段刻みで±３段までの露出レベルを示している。図３では指標４１の位置から、表示されている露出制御値で得られる被写体輝度の露出レベルが適正露出の露出レベルよりも１／３段暗い状態であることがわかる。
【００３４】
ユーザーは、マニュアルモードにおいて露出制御値をマニュアル設定する場合に、指標４１が露出レベル表示４０の中心にくるように露出制御値を設定することで、被写体輝度が適正露出となる露出制御値を容易に設定することができる。
【００３５】
また、被写体の明るさが変化することで、設定した露出制御値で得られる被写体輝度が適正露出とならなくなった場合でも、適正露出からどの程度ずれているか容易に把握することができる。すなわち、被写体輝度を適正露出とするために露出制御値の設定を変更する必要があるか否かを容易に把握することができる。
【００３６】
以下、図４を参照して、本実施の形態における撮像装置の露出状態表示動作のフローチャートについて説明する。
【００３７】
まずステップＳ１０で、マイクロコンピュータ３９は、動画撮影の開始を指示する動画撮影指示釦としての設定釦２０４ｃが押下されたか否かの判定を行い、押下されたならステップＳ１１に進み、押下されなかったならステップＳ１６に進む。
【００３８】
ステップＳ１１では、マイクロコンピュータ３９からの指示を受けて、不図示のアクチュエータによりクイックリターンミラー１２をアップさせる。
【００３９】
ステップＳ１２では、ユーザーによりマニュアル設定された、あるいはマイクロコンピュータ３９により自動設定された絞り値をマイクロコンピュータ３９より通信端子６，１０を介してレンズシステム制御回路４へ送信する。そして、レンズシステム制御回路４は送信された絞り値に基づいて絞り駆動回路２を介して絞り１を制御する。
【００４０】
ステップＳ１３では、マイクロコンピュータ３９からの指示を受けて、フォーカルプレーンシャッター１７を開放させ、撮像素子２０の露光を開始させる。
【００４１】
ステップＳ１４では、ユーザーによりマニュアル設定された、あるいはマイクロコンピュータ３９により自動設定されたシャッター速度に基づいて、マイクロコンピュータ３９によりタイミング制御回路３２を介して、撮像素子２０の駆動タイミングを制御する。また、ＡＭＰ回路２１により、ユーザーによりマニュアル設定された、あるいはマイクロコンピュータ３９により自動設定された撮影感度に応じたゲインで撮影信号を増幅し、Ａ／Ｄ変換回路２２を介してデジタル信号に変換する。そして、デジタル信号に変換された画像データを画像処理回路２３を介してバッファメモリー２６に取り込む。
【００４２】
ステップＳ１５では、バッファメモリー２６に取り込まれた画像データをメモリーコントローラ２７を介してアナログ信号に変換し、変換したアナログ信号を液晶駆動回路２４を介して液晶表示部２５に出力する。
【００４３】
ステップＳ１６では、マイクロコンピュータ３９は、測光動作の開始を指示されたか否かの判定を行う。なお、測光動作の開始指示は、レリーズ釦２０１が半押しされることで指示されたり、あるいはマイクロコンピュータ３９により所定周期ごとに指示されたりする。ステップＳ１６において測光動作の開始を指示されたならステップＳ１８に進み、指示されなかったならステップＳ１７に進む。
【００４４】
ステップＳ１７では、マイクロコンピュータ３９は、電子ダイヤル２０３などの操作部材が操作されてシャッター速度、絞り値、撮影感度などの露出制御値が変更されたか否かの判定を行う。判定の結果、変更されたならステップＳ１８に進み、変更されなかったならＳ１９に進む。
【００４５】
ステップＳ１８では、設定された露出制御値で得られる被写体輝度の測光結果を液晶表示部２５に表示する。
【００４６】
ステップＳ１９では、マイクロコンピュータ３９は、動画撮影中か否かを判定し、動画撮影中であればステップＳ１６に戻り、動画撮影中でなければ一連の処理を終了する。なお、動画撮影中の場合、ステップＳ１６の処理を行う前に再度ステップＳ１４およびステップＳ１５の処理を行うようにしてもよい。
【００４７】
次に、図５、図６、図７を参照して、ステップＳ１８で行われる測光結果表示処理について説明する。
【００４８】
まず、ステップＳ１０１で、マイクロコンピュータ３９は、設定されている露出制御値で撮像を行ったときの被写体輝度を取得する。動画撮影中であれば、Ｓ１４で取り込まれた画像などステップＳ１８の処理を行う直前に取り込まれた画像に基づいて被写体輝度を取得し、動画撮影中でなければ、ＡＥセンサー１５で測光を行いその測光結果に基づいて被写体輝度を取得する。なお、露出制御値が変更された場合は、変更前の露出制御値で取得された被写体輝度と露出制御値の変化量に基づいて、変更後の露出制御値で撮像を行ったときの被写体輝度を取得してもよい。
【００４９】
ステップＳ１０２では、マイクロコンピュータ３９は、ステップＳ１０１で取得された被写体輝度の露出レベルと適正露出の露出レベルとの差分を算出する。差分をδとすると、差分（δ）は、式（ａ）より求められる。なお、式（ａ）は公知のＡＰＥＸ（Ａｄｄｉｔｉｖｅ  Ｓｙｓｔｅｍ  ｏｆ  Ｐｈｏｔｏｇｒａｐｈｉｃ  Ｅｘｐｏｓｕｒｅ）単位を用いて表されており、ＢＶ：被写体の明るさ、ＳＶ：撮影感度、ＴＶ：シャッター速度、ＡＶ：絞り値、α：調整値である。
δ＝（ＢＶ＋ＳＶ＋α）−（ＴＶ＋ＡＶ）      （ａ）
ステップＳ１０３では、マイクロコンピュータ３９は、動画撮影中であるか否かの判定を行い、動画撮影中であるならステップＳ１０４に進み、動画撮影中ではないならステップＳ１０６に進む。
【００５０】
ステップＳ１０４では、マイクロコンピュータ３９は、動画撮影時の撮影モードがマニュアルモードに設定されているか否かの判定を行う。判定の結果、マニュアルモードに設定されていたならステップＳ１０５に進み、マニュアルモードに設定されていなかったならステップＳ１０６に進む。ここで、マニュアルモード以外の撮影モードが設定されている場合にステップＳ１０６に進むのは、マニュアルモード以外の撮影モードではシャッター速度、絞り値、撮影感度といった露出制御パラメータのうち少なくとも２種類を自動的に変更するからである。マニュアルモード以外の撮影モードでは細かな自動露出制御が可能であり、適正露出として扱う不感帯の幅（以下、適正露出範囲とする）が静止画用のままであっても適正露出と表示されるように自動的に露出制御値が変更される。
【００５１】
ステップＳ１０５では、マイクロコンピュータ３９は、ステップＳ１０２で算出された差分の大きさが適正露出範囲内であるか否かの判定を行うための動画用適正露出範囲を設定する。
【００５２】
ステップＳ１０６では、マイクロコンピュータ３９は、ステップＳ１０２で算出された差分の大きさが適正露出範囲内であるか否かの判定を行うための静止画用適性露出範囲を設定する。なお、動画用および静止画用の適正露出範囲の設定に関しては、図６を参照して後述する。
【００５３】
ステップＳ１０７では、マイクロコンピュータ３９は、ステップＳ１０５、ステップＳ１０６で設定された適正露出範囲とステップＳ１０２で算出された差分の大きさとを比較して、差分の大きさが適正露出範囲内であるか否かの判定を行う。差分の大きさが適正露出範囲内であると判定されたら、ステップＳ１０８に進み、適正露出範囲内ではないと判定されたら、ステップＳ１０９に進む。
【００５４】
ステップＳ１０８では、ステップ１０７の判定結果として、図７（ａ）に示すような、設定されている露出制御値で撮像を行ったときの被写体輝度が適正露出であることを示す指標を液晶表示部２５に表示する。
【００５５】
ステップＳ１０９では、ステップ１０７の判定結果として、図７（ｂ）に示すような、設定されている露出制御値で撮像を行ったときの被写体輝度の露出レベルと適正露出の露出レベルとの差分の大きさを示す指標を液晶表示部２５に表示する。
【００５６】
以上のようにして、ユーザーが動画撮影用および静止画撮影用の露出制御値の設定を行う場合に、設定した露出制御値で得られる被写体輝度が適正露出となることを正確に報知することができる。
【００５７】
次に、ステップＳ１０５、ステップＳ１０６で行われる適正露出範囲の設定について図５を用いて説明する。
【００５８】
ステップＳ１０５、ステップＳ１０６では、適正露出範囲の設定は図５（ａ）に示すテーブルに従って行われる。なお、図５（ａ）に示すテーブルは不揮発性メモリー３８に保存されているものとする。
【００５９】
設定された露出制御値で得られる被写体輝度が適正露出であれば差分の大きさが０であるとし、本実施の形態では、静止画用適正露出範囲を適正露出に対する差分の大きさが―４〜＋３の範囲としている。また、動画用適正露出範囲を適正露出に対する差分の大きさが−６〜＋６の範囲としている。なお、それぞれの適正露出範囲は、静止画撮影用と動画撮影用とで設定された露出制御値の内部的な扱い方が異なることを考慮して決められている。被写体の明るさや露出制御値など撮影条件が同じ場合であれば、静止画撮影用の露出制御値が設定された場合と動画撮影用の露出制御値が設定された場合とで適正露出か否かの判定が同じ結果となるように決められているものとする。
【００６０】
図５の（ｂ）、（ｃ）は、適正露出に対する差分の大きさが、−６と算出された時の測光結果を示す露出レベル表示４０を模式的に表した図であり、それぞれ、静止画用適正露出範囲、動画用適正露出範囲を用いた場合を表している。なお、本実施の形態では、適正露出に対する差分の大きさが＋２４であれば１段オーバー、−２４であれば１段アンダーとしており、図５の（ｂ）、（ｃ）では、適正露出の露出レベルを基準として±１段の露出レベルまでを表している。
【００６１】
適正露出に対する差分の大きさが−６である場合、静止画用適正露出範囲を用いると、図５（ａ）に示すように差分の大きさが適正露出範囲をアンダー側に超えているため適正露出だと判断されない。そのため、図５（ｂ）に示すように適正露出から１／３段暗い状態であることを示す指標が表示される。
【００６２】
一方、適正露出に対する差分の大きさが−６である場合、動画用適正露出範囲を用いると、図５（ａ）に示すように差分の大きさが適正露出範囲内であるため適正露出だと判断し、図５（ｃ）に示すような適正露出であることを示す指標が表示される。
【００６３】
仮に、動画用適正露出範囲を静止画用適正露出範囲と同一にすると、適正露出に対する差分の大きさが−６である場合、上述のように適正露出であることを示す指標が表示されるべきなのに、露出アンダーを示す指標が表示されることになる。そのため、被写体輝度が適正露出となる露出制御値が設定されているのに適正露出でないとユーザーが認識してしまい、露出制御値の設定変更を必要以上に行ってしまう。
【００６４】
そこで、動画撮影用と静止画撮影用とで異なる適正露出範囲を設定することで、動画撮影用および静止画撮影用のいずれの露出制御値を設定する場合であっても、被写体輝度が適正露出となる露出制御値が設定されていることを正確に報知することができる。
【００６５】
以上のように、動画撮影用と静止画撮影用とで適正露出範囲を変更することで、被写体輝度が適正露出となる露出制御値が設定されていることを正確に報知でき、設定された露出制御値で得られる被写体輝度の露出状態をユーザーが正確に把握することができる。
【００６６】
なお、本実施の形態では、適正露出範囲の上限値および下限値を図６に例示したが、適正露出範囲の上限値および下限値は図６に例示された値に限定されるものではなく、静止画用と動画用で異なる適正露出範囲となるように設定すればよい。すなわち、適正露出の露出レベルとの差分の大きさが所定値以内である露出レベルを適正露出範囲として設定し、静止画用適正露出範囲と動画用適正露出範囲とで所定値を変更すればよい。
【００６７】
また、差分の大きさと露出レベルの段数との関係も、図６に例示された値に限定されるものではない。また、図６では静止画用の適正露出範囲より動画用の適正露出範囲を広くしているが、露出制御値の内部的な扱い方によっては動画用の適正露出範囲より静止画用の適正露出範囲を広くしても構わない。
【００６８】
また、設定した露出制御値で得られる被写体輝度の露出レベルと適正露出の露出レベルとの差分の大きさを示す情報として、図３に示すような露出レベル表示４０および指標４１を例示したが、表示形態は図３に例示された表示形態に限定されるものではない。例えば、露出レベル表示４０のように露出レベルを１／３段刻みで表示するのではなく、１／２段刻みや１／４段刻みなどで表示してもよい。
【００６９】
また、露出レベル表示４０や指標４１のような、設定した露出制御値で得られる被写体輝度の露出レベルと適正露出の露出レベルとの差分の大きさを示す情報は液晶表示部２５以外の位置に表示してもよい。例えば、ユーザーがファインダー１６を覗いた状態で視認できる位置に表示してもよい。
【００７０】
また、ステップＳ１０４〜ステップＳ１０６において動画撮影時の撮影モードによって適正露出範囲を変更したが、動画撮影時は同一の適正露出範囲としても構わない。
【００７１】
また、設定した露出制御値で得られる被写体輝度の露出レベルと適正露出の露出レベルとの差分の大きさを算出せずに、設定した露出制御値で得られる被写体輝度の露出レベルが適正露出に基づいて決定される露出レベルであるか否かを判定してもよい。
【００７２】
また、ライブビュー表示を行う場合にライブビュー表示の表示モードとして、動画用表示モード（第１の表示モード）と静止画用表示モード（第２の表示モード）が選択可能な構成であれば、選択された表示モードに応じて適正露出範囲を設定するようにしてもよい。すなわち、動画用表示モードでライブビュー表示中に露出制御値の変更を行った場合は動画用適正露出範囲を設定し、静止画用表示モードでライブビュー表示中に露出制御値の変更を行った場合は静止画用適正露出範囲を設定するようにしてもよい。この場合、動画用表示モードでライブビュー表示中であっても、マニュアルモード以外の撮影モードが設定されていれば静止画用適正露出範囲を設定するようにしても構わない。
【００７３】
その他、前述した機能を実現するソフトウェアのプログラムコードを記憶した記憶媒体をシステム或いは装置に供給し、そのシステム或いは装置が記憶媒体に格納されたプログラムコードを読み出し実行することによっても、達成されることは言うまでもない。
【００７４】
この場合、記憶媒体から読み出されたプログラムコード自体が前述した機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。
【００７５】
また、そのプログラムコードの指示に基づき、コンピュータ上稼動しているＯＳなどが実際の処理の一部または全部を行い、その処理によって前述した機能が実現される場合も含まれることは言うまでもない。
【００７６】
以上、本発明の好ましい実施形態について説明したが、本発明はこれらの実施形態に限定されず、その要旨の範囲内で種々の変形及び変更が可能である。
【符号の説明】
【００７７】
１  絞り
２  絞り駆動回路
１５  ＡＥセンサー
１６  ファインダー
１７  フォーカルプレーンシャッター
２０  撮像素子
２１  ＡＭＰ回路
２３  画像処理回路
２４  液晶駆動回路
２５  液晶表示部
３２  タイミング制御回路
３６  シャッター制御回路
３８  不揮発性メモリー
３９  マイクロコンピュータ
【図１】
2010268362.tif 000003
【図２】
2010268362.tif 000004
【図３】
2010268362.tif 000005
【図４】
2010268362.tif 000006
【図５】
2010268362.tif 000007
【図６】
2010268362.tif 000008
【図７】
2010268362.tif 000009